【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】  ネットワークを介してカメラを操作するためのカメラ操作装置において、
前記カメラの種類のそれぞれに対応して前記カメラの制御指令の生成処理を行うためのモジュールを少なくとも１つ格納する格納手段と、
制御対象のカメラの種類に関する情報を認識する認識手段と、
前記認識手段によって認識されたカメラの種類に関する情報に基づいて、前記少なくとも１つのモジュールの中から前記カメラの制御指令の生成処理を行うモジュールを選択する選択手段とを備えることを特徴とするカメラ操作装置。
【請求項２】  請求項１において、さらに、前記認識手段によって認識されたカメラの種類に対応するモジュールが前記カメラ制御装置に存在しない場合、ネットワーク上の前記認識手段によって認識されたカメラの種類に対応するモジュールを有する装置に対して前記認識手段によって認識されたカメラの種類に対応するモジュールの送信要求を行うモジュール要求手段とを備えることを特徴とするカメラ操作装置。
【請求項３】  請求項１または請求項２において、さらに、所望のカメラの制御権を前記所望のカメラの制御を実行するカメラサーバに対して要求する制御権要求手段とを備え、
前記カメラの種類に関する情報は、前記制御権要求手段による前記カメラの制御権の要求にともなって前記カメラサーバから通知される前記カメラの制御権の獲得通知に付随していることを特徴とするカメラ操作装置。
【請求項４】  請求項１ないし請求項３のいずれか一項において、前記カメラ操作装置は少なくとも前記カメラの撮像方向およびズーム倍率を操作可能であることを特徴とするカメラ操作装置。
【請求項５】  接続されているカメラをネットワークを介して操作可能とするためのカメラサーバにおいて、
ネットワークを介してカメラ操作装置から現在接続されているカメラの制御権の要求が受信された場合に前記カメラ操作装置が前記現在接続されているカメラを操作可能かどうかを判断する判断手段と、
前記判断手段によって前記カメラ操作装置が前記現在接続されているカメラを操作可能と判断された場合、前記現在接続されているカメラの制御権の獲得通知を前記カメラ操作装置に出力するとともに前記現在接続されているカメラの種類に関する情報を付随して出力する出力手段とを備えることを特徴とするカメラサーバ。
【請求項６】  請求項５において、前記出力手段は、前記判断手段によって前記カメラ操作装置が前記現在接続されているカメラを操作不可能と判断された場合、前記現在接続されているカメラの制御権の非獲得通知を前記カメラ操作装置に出力するとともに前記現在接続されているカメラの種類に関する情報を付随して出力するように構成されていることを特徴とするカメラサーバ。
【請求項７】  接続されているカメラをネットワークを介して操作可能とするためのカメラサーバにおいて、
前記カメラの種類のそれぞれに対応して前記カメラの制御処理を行うための少なくとも１つのモジュールを格納する格納手段と、
前記少なくとも１つのモジュールの中から前記カメラの制御処理を行うモジュールを選択する選択手段と、
前記格納手段によって格納される少なくとも１つのモジュールの中に現在接続されているカメラの種類に対応するモジュールが存在しない場合、ネットワーク上の装置に対して現在接続されているカメラに対応するモジュールの送信要求を行うモジュール要求手段とを備えることを特徴とするカメラサーバ。
【請求項８】  請求項７において、さらに、前記現在接続されているカメラの種類を認識する認識手段とを備え、前記選択手段は前記認識手段によって認識されたカメラの種類に対応するモジュールを選択するように構成されていることを特徴とするカメラサーバ。
【請求項９】  請求項６ないし請求項８のいずれか一項において、前記カメラサーバは、接続されているカメラの撮像方向およびズーム倍率を少なくとも制御可能であることを特徴とするカメラサーバ。
【請求項１０】  ネットワークを介してカメラを操作するためのカメラ操作装置の制御方法において、
前記カメラの種類のそれぞれに対応して前記カメラの制御指令の生成処理を行うための少なくとも１つのモジュールを格納する格納工程と、
制御対象のカメラの種類に関する情報を認識する認識工程と、
前記認識工程によって認識されたカメラの種類に関する情報に基づいて、前記少なくとも１つのモジュールの中から前記カメラの制御指令の生成処理を行うモジュールを選択する選択工程とを備えることを特徴とするカメラ操作装置の制御方法。
【請求項１１】  請求項１０において、さらに、前記認識工程によって認識されたカメラの種類に対応するモジュールが前記カメラ制御装置に存在しない場合、ネットワーク上の前記認識工程によって認識されたカメラの種類に対応するモジュールを有する装置に対して前記認識工程によって認識されたカメラの種類に対応するモジュールの送信要求を行うモジュール要求手段とを備えることを特徴とするカメラ操作装置の制御方法。
【請求項１２】  請求項１０または請求項１１において、さらに、所望のカメラの制御権を前記所望のカメラの制御を実行するカメラサーバに対して要求する制御権要求工程とを備え、
前記カメラの種類に関する情報は、前記制御権要求工程による前記カメラの制御権の要求にともなって前記カメラサーバから通知される前記カメラの制御権の獲得通知に付随していることを特徴とするカメラ操作装置の制御方法。
【請求項１３】  請求項１０ないし請求項１２のいずれか一項において、前記カメラ操作装置は少なくとも前記カメラの撮像方向およびズーム倍率を操作可能であることを特徴とするカメラ操作装置の制御方法。
【請求項１４】  接続されているカメラをネットワークを介して操作可能とするためのカメラサーバの制御方法において、
ネットワークを介してカメラ操作装置から現在接続されているカメラの制御権の要求が受信された場合に前記カメラ操作装置が前記現在接続されているカメラを操作可能かどうかを判断する判断工程と、
前記判断工程によって前記カメラ操作装置が前記現在接続されているカメラを操作可能と判断された場合、前記現在接続されているカメラの制御権の獲得通知を前記カメラ操作装置に出力するとともに前記現在接続されているカメラの種類に関する情報を付随して出力する出力工程とを備えることを特徴とするカメラサーバの制御方法。
【請求項１５】  接続されているカメラをネットワークを介して操作可能とするためのカメラサーバの制御方法において、
前記カメラの種類のそれぞれに対応して前記カメラの制御処理を行うための少なくとも１つのモジュールを格納する格納工程と、
前記少なくとも１つのモジュールの中から前記カメラの制御処理を行うモジュールを選択する選択工程と、
前記格納工程によって格納される少なくとも１つのモジュールの中に現在接続されているカメラの種類に対応するモジュールが存在しない場合、ネットワーク上の装置に対して現在接続されているカメラに対応するモジュールの送信要求を行うモジュール要求工程とを備えることを特徴とするカメラサーバの制御方法。
【請求項１６】  請求項１５において、さらに、前記現在接続されているカメラの種類を認識する認識工程とを備え、前記選択工程は前記認識工程によって認識されたカメラの種類に対応するモジュールを選択するように構成されていることを特徴とするカメラサーバの制御方法。
【請求項１７】  請求項１４ないし請求項１６のいずれか一項において、前記カメラサーバは、接続されているカメラの撮像方向およびズーム倍率を少なくとも制御可能であることを特徴とするカメラサーバの制御方法。
【請求項１８】  ネットワークを介してカメラを操作するためのカメラ操作装置の動作処理を実行させるためのプログラムを記憶した記憶媒体であって、
前記カメラの種類のそれぞれに対応して前記カメラの制御指令の生成処理を行うための少なくとも１つのモジュールを格納させ、
制御対象のカメラの種類に関する情報を認識させ、
認識させたカメラの種類に関する情報に基づいて、前記少なくとも１つのモジュールの中から前記カメラの制御指令の生成処理を行うモジュールを選択させるプログラムを記憶した記憶媒体。
【請求項１９】  請求項１８において、さらに、認識させたカメラの種類に対応するモジュールが前記カメラ制御装置に存在しない場合、ネットワーク上の認識させたカメラの種類に対応するモジュールを有する装置に対して認識させたカメラの種類に対応するモジュールの送信要求を実行させるプログラムを記憶した記憶媒体。
【請求項２０】  接続されているカメラをネットワークを介して操作可能とするためのカメラサーバの動作処理を実行させるプログラムを記憶した記憶媒体であって、
ネットワークを介してカメラ操作装置から現在接続されているカメラの制御権の要求が受信された場合に前記カメラ操作装置が前記現在接続されているカメラを操作可能かどうかを判断させ、
前記カメラ操作装置が前記現在接続されているカメラを操作可能な場合、前記現在接続されているカメラの制御権の獲得通知を前記カメラ操作装置に出力させるとともに前記現在接続されているカメラの種類に関する情報を付随して出力させるプログラムを記憶した記憶媒体。
【請求項２１】  接続されているカメラをネットワークを介して操作可能とするためのカメラサーバの動作処理を実行させるためのプログラムを記憶した記憶媒体であって、
前記カメラの種類のそれぞれに対応して前記カメラの制御処理を行うための少なくとも１つのモジュールを格納させ、
前記少なくとも１つのモジュールの中から前記カメラの制御処理を行うモジュールを選択させ、
前記少なくとも１つのモジュールの中に現在接続されているカメラの種類に対応するモジュールが存在しない場合、ネットワーク上の装置に対して前記現在接続されているカメラに対応するモジュールの送信要求を実行させるプログラムを記憶した記憶媒体。
【請求項２２】  請求項２１において、さらに、前記認識させたカメラの種類に対応するモジュールを選択させるプログラムを記憶した記憶媒体。
【請求項２３】  請求項１ないし請求項２２のいずれか一項において、前記カメラの種類に関する情報は、前記カメラに用いられる制御コマンドの形態であることを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】